【誤訳訂正書】
【提出日】平成30年8月20日(2018.8.20)
【誤訳訂正１】
【訂正対象書類名】明細書
【訂正対象項目名】全文
【訂正方法】変更
【訂正の内容】
【発明の詳細な説明】
【発明の名称】手の静脈パターンを記録するセンサシステム及び方法
【技術分野】
【０００１】
本発明は、手の静脈パターンを記録するセンサシステム並びに手の静脈パターンを記録する方法に関している。
【背景技術】
【０００２】
従来技術からは手の静脈パターンを記録するセンサが公知であり、その信号は認証のために用いられている。
【０００３】
本発明の課題は、手の静脈パターンを記録するための改良されたセンサシステムと改良された方法とを提供することにある。
【０００４】
上記課題は、本発明の第１の態様によれば、光源と、カメラと、トポグラフィーセンサと、プロセッサユニットとを含んだセンサシステムによって解決される。前記第１の光源は、手の静脈によって反射可能な近赤外領域の電磁波を動作中に全面に放射するように構成されている。前記カメラは、カメラチップを含み、前記電磁波の反射信号を記録するように構成され、センサシステムの動作中に手から反射されたビームを受信できるように配置されている。さらに前記カメラは、記録された反射信号を対応する画像データに処理するように構成されている。前記トポグラフィーセンサは、動作中に、手のトポグラフィーデータを記録するように構成され配置されている。前記プロセッサユニットは、カメラチップとトポグラフィーセンサに接続され、画像データとトポグラフィーデータとから、手の標準化された（normiertes）静脈パターンを算出するように構成されている。
【０００５】
第２の態様として本発明は、手の静脈パターンを記録する方法に関している。この方法は、手の中の静脈によって反射可能な近赤外領域の電磁波を全面に放射する第１の光源を用いて手を照射するステップと、静脈からの反射信号を記録し、前記反射信号に対応する画像データを生成するステップと、手のトポグラフィーデータを記録するステップと、前記画像データと前記トポグラフィーデータとから、手の標準化された静脈パターンを生成するか又は前記静脈パターンに対応する特徴ベクトルを生成するステップとを含んでいる。
【０００６】
本発明は、トポグラフィーデータと記録された静脈パターンとを結合することによって、標準的な状態（Normallage）の静脈パターンを計算することができるという知識に基づくものである。そのため、当該センサシステムから出力される静脈パターンは、センサシステムに対する手の位置やその拡がり具合に左右されなくなる。
【０００７】
本発明によれば、プロセッサユニットにおいて、トポグラフィーデータと静脈パターンとが次のように結合される。すなわち、標準化された静脈パターン、及び、標準化された手の形の画像すなわち手の標準化されたトポグラフィーを算出することができるようにトポグラフィーデータと静脈パターンとが結合される。これは、空間内の状態（Lage）の標準化である。手の形及び静脈の枝分かれはいずれも、空間的構造であり、それらのカメラチップ上の２次元画像は、それらの空間的な状態（ねじれ、傾き、曲がり等）に依存する。このようにして本発明による静脈検出システムは、手の状態に対する誤差を許容し、手に関する機械的制約を不要にさせる。
【０００８】
本発明による装置及び本発明による方法は、手のひらの静脈パターンだけでなく、手の甲の静脈パターンを使用することも可能である。
【０００９】
以下では本発明によるセンサシステム並びに本発明による方法の例示的な実施形態を説明する。これらの実施形態の付加的特徴は、それらが明細書において相互に代替として明示的に記載されていなくとも、さらなる実施形態の形成のために相互に組み合わせることが可能である。
【００１０】
好ましい実施形態によれば、センサシステムは、付加的プロセッサユニットを有し、該付加的プロセッサユニットは、第１のプロセッサユニットによって算出された静脈パターンか又は算出された特徴ベクトルを、少なくとも１つの格納された静脈パターンか又は少なくとも１つの格納された特徴ベクトルと比較し、算出された静脈パターンか又は算出された特徴ベクトルが十分に一致しているものとして、又は、十分に一致していないものとして分類するように構成されている。それにより、標準化された静脈パターンを用いて、分類が、手の状態や広がり具合に左右されることなく行なわれる。
【００１１】
センサシステムの有利な実施形態によれば、前記トポグラフィーセンサは、赤外線領域の電磁ビームを構造画像の形態で放射する第２の光源と、電磁波の反射信号を記録する第２のカメラチップと、前記記録された反射信号データからトポグラフィーを算出するように構成された計算ユニットとを含んでいる。第２の光源は、光画像、例えばストライプ構造やドット構造を有する光画像を放射し、この光画像を手に照射する。反射された構造画像は、カメラチップ上に結像される。この結像のカメラチップの信号は、手のひらの構造（隆起）だけでなく、空間内の手の状態（ねじれや傾き）にも依存している。構造化された光で記録することは、計算ユニットを用いた三角測量方程式の計算を介して状態を識別し、構造画像を標準的な状態に逆算するか又は特徴ベクトルに変換し、後続の比較処理に使用することを可能にする。第１のプロセッサユニットでは、そのようにして得られた状態情報を用いることで、標準化された静脈パターンを計算することができるようになる。このセンサシステムは好ましくは、第１のカメラチップとしても第２のカメラチップとしても機能するカメラチップを有している。
【００１２】
別の有利な実施形態によれば、第１の光源と第２の光源は、交互に直接連続した１つずつの画像又は部分画像を生じるように電磁波を放射し、それによって直接相前後した完全な静脈画像（第１の光源）及び構造画像（第２の光源）がそれぞれ記録される。
【００１３】
好適には、前記第１のプロセッサユニットは、前記センサシステムの、第２の光源のみが規則的な時間間隔、例えば１乃至２秒の範囲の時間間隔で電磁波を放射する静止モードにおいて、前記反射信号から距離を算出し、所定の最小距離を下回った場合に第１の光源を用いた照射が開始されるように構成されている。このことはシステムの効率的な動作を可能にする。なぜなら、第１の光源を用いた照射と計算は、被検体が照射領域に存在している場合にしか行われないである。
【００１４】
代替的な実施形態によれば。前記トポグラフィーセンサは、飛行時間型センサである。このセンサは、赤外光パルスの伝播時間の検出により、センサから被検体までの距離を画素毎に決定し、光速度を介して距離を計算する。
【００１５】
好ましくは、付加的プロセッサユニットが、ＲＦＩＤ（radio-frequency identification）ホストプロセッサであり、そこではＲＦＩＤスレーブプロセッサ内に格納されている静脈パターン若しくは特徴ベクトルとの比較が行われる。このケースでは、ＲＦＩＤホストプロセッサとＲＦＩＤスレーブプロセッサとの間で接続チャネルが構築された場合にのみ分類が可能である。このことは、データベースシステムへのデータの格納なしで認証を可能にさせ、ひいてはより高い安全性を提供する。なぜならセンサシステムにおける認証のためには有効な静脈パターンもＲＦＩＤスレーブプロセッサの存在も必要となり得るからである。
【００１６】
ＲＦＩＤホストプロセッサに代えて、他の接続タイプのプロセッサを代替的に用いてもよい。これは、好ましくは公知の標準規格であるＷＬＡＮ、ブルートゥース、ジグビー又はＮＦＣに準拠した少なくとも１つのアクティブな無線接続機能を実現させる。このケースでもスレーブプロセッサは、少なくともホストプロセッサと同じアクティブな無線接続機能を備える。ここでも、ＲＦＩＤに関連して説明したように、スレーブプロセッサ内に格納されている静脈パターンないし特徴ベクトルとの比較が行われる。
【００１７】
好適には、データベースに格納されている静脈パターン又は特徴ベクトルとの比較が行なわれてもよい。ここでは、必ずしもあらゆるユーザーが付加的認証要素を備える必要はなく、ユーザーは、既存のパターンに基づいて分類を行うことができる。
【００１８】
別の有利な実施形態によれば、センサシステムと接続されたトリガ装置は、静脈パターン又は特徴ベクトルが十分に一致しているものとして分類されたときに、後続するシステム、例えば金融システムや他の入力システムへのアクセスを可能にするように構成されている。また有利には、建物や公共交通機関の装置へのアクセス権限が当該トリガユニットから出力されるようにしてもよい。
【００１９】
本発明のさらなる態様は、内蔵されたスレーブプロセッサを有するブレスレットに関しており、このスレーブプロセッサは、格納された静脈パターン又は格納された特徴ベクトルに関する情報を含み、前述のセンサシステムのホストプロセッサと通信可能である。
【００２０】
一実施形態によれば、前記スレーブプロセッサは、内蔵されたＲＦＩＤのスレーブプロセッサであり、このＲＦＩＤスレーブプロセッサは、格納された静脈パターン又は格納された特徴ベクトルに関する情報を含み、前述のセンサシステムのＲＦＩＤホストプロセッサと通信可能である。
【００２１】
内蔵されたＲＦＩＤスレーブプロセッサを有する前述のブレスレットに対して代替的に、アクティブスレーブプロセッサを備えたブレスレット、換言すれば、格納された静脈パターン若しくは特徴ベクトルを有し、有利には既知の標準規格のＷＬＡＮ、ブルートゥース、ジグビー又はＮＦＣによる少なくとも１つのアクティブな無線接続機能を備えた、アクティブに電力を供給するプロセッサが用いられてもよい。ここでのアクティブスレーブプロセッサは、好ましくは、格納された静脈パターンないし格納された特徴ベクトルを許可なしで読み込むことができないように設計されており、それに対して好適にはＴＥＥ（Trusted Execution Environment）が使用されてもよい。
【００２２】
また代替的なブレスレットとして、いわゆるスマートウオッチやスマートブレスレット（スマートウオッチ、スマートリストバンド、ウエラブルリストバンドなど）が用いられてもよい。これらのスマートウオッチやスマートブレスレットとは、近距離無線接続機能を備え、所定のメッセージをそのユーザーに伝えることのできる手首装着型のポータブルコンピュータのことである。
【００２３】
同時にこのようなスマートブレスレットの所持者であるユーザーは、自身の個人情報を公にすることなく、所望のシステムへのアクセス権を取得する必要がある。この局面は、データ保護法の観点からも重要である。
【００２４】
センサシステムが含まれているアクセスポイントへユーザーが近づくと、ブレスレットを着用している手をセンサシステムの前で止めると、センサが活性化される。構築されたＲＦチャネル又は無線チャネルを介してＲＦＩＤホストプロセッサ又はアクティブホストプロセッサは、ブレスレットに、算出された静脈パターン若しくは特徴ベクトルを送信する。それに続いて既に前述した認証機能が続けられる。
【００２５】
そのようなシステムの適用分野では、当該のブレスレットは、例えば銀行カード、近距離輸送の１ヶ月定期、長距離輸送の乗車チケット、航空輸送の搭乗券やアクセス権限の証明書として利用することができる。
【００２６】
前述したブレスレットの特に有利な点は、スマートブレスレットの紛失の際の悪用の可能性が自ずと生じないということである。このブレスレットは、手の静脈パターンとつながったときにのみ使うことができる。但しこのリストバンドには個人を特定できるデータは何一つ格納されていないので、紛失したブレスレットを手に入れても無価値である。
【００２７】
有利には、スレーブプロセッサは、特に、ＲＦＩＤのスレーブプロセッサ又はアクティブスレーブプロセッサであり、算出された静脈パターンや特徴ベクトルが十分に一致しているものとして認証された後で初めて読み取り若しくは送信が可能になる、追加コードが含まれている。
【００２８】
本発明のさらに別の実施形態においては、センサシステムは、キーボード上に設けられる。ここでは、手の甲の静脈パターンが検出され、このことは簡単な認証を入力過程中も可能にする。この場合センサシステムの第２のプロセッサユニットは、キーが押されるたびに、静脈パターンの照合過程も同時にトリガされるように構成され、キーボードに接続されている。文字又は文字グループの入力は、静脈認証が十分に一致するものとして検出された場合にだけ有効と認められる。このような装置の利点は、ユーザーの永続的な認証が、通信過程において例えばコンピュータによって保証されることにある。
【００２９】
同様に有利には、このシステムはまたキーボード内に統合されて手のひらの静脈パターンを認証するのに用いてもよい。この場合のキーボードは、手のひらが常にキーボードのユーザーに面した部分の上で浮遊するように、あるいはこの部分に載置できるように構成されている。それに対して指は、キーに達することができるように構成されている。つまり、キーの意図的に狭い配置が選択されている。数字キーやその他の機能キーは、アルファベットキーの左右のいずれかに置かれている。ユーザーに面したキーボード部分には、左右の手の各々に対して、本発明によるセンサシステムが統合されていてもよい。このセンサシステムは、好ましくは次のように構成されている。すなわち、手のひらから非常に短い距離で静脈構造が検出可能であり、センサ表面から５乃至２０ｍｍの距離で最大１２０ｍｍまでの手のひらの拡がりが検出可能であるように構成されている。一実施形態では、このセンサシステムは、複数の第１の赤外光源を含み、これらの第１の赤外光源は、各第１の赤外光源が手のひらの各部分の全面を照明するようにコンピュータのキーボード内に埋め込まれている。さらにこの実施形態は、複数のカメラチップを含み、それによってこれらのカメラチップの各々には、手のひらの各部分からの反射信号が、つまり手の静脈パターンの各部分が結像される。ここでの前記カメラチップと前記赤外光源の配置構成は、前記カメラチップの全ての画像の組み合わせによって、手のひらの十分に完全な結像が生成されるように選択される。この完全な画像は、その後、静脈パターンのテンプレートを求めるための処理工程に供給される。複数のカメラチップの配置構成は、結果として非常に短い画像距離の必要性から生じる。１つのカメラチップしか使用しないケースでは、場合によっては、手のひらを光学的に完全に記録することができない可能性があり、したがって、処理のための静脈パターンの完全な画像が、何も得られない可能性がある。
【００３０】
以下では、本発明による方法及び本発明による装置のさらなる実施形態を、図面に基づいて詳細に説明する。
【図面の簡単な説明】
【００３１】
【図１】本発明による方法の一実施形態を示したフローチャート
【図２】手の静脈パターンを記録するための、本発明によるセンサシステムの一実施形態を概略的に示した図
【図３】本発明によるセンサシステムのさらに別の実施形態を概略的に示した図
【００３２】
発明を実施するための形態
図１には、手の静脈パターンを記録するための方法のフローチャートが示されている。ステップＳ１において、ここでは手が第１の光源によって照射される。この第１の光源は、近赤外領域の電磁波を全面に放射し、この電磁波は手の中の静脈によって反射可能である。ステップＳ２では、手の静脈から戻ってきた反射信号がカメラチップを用いて記録され、この反射信号に応じて画像データが生成される。ステップＳ３では、手が、赤外領域の電磁ビームを構造画像の形態で放射する第２の光源によって照射され、ステップＳ４では、このビームの反射信号が記録され、並びにこの反射信号からトポグラフィーデータが生成される。好ましい実施形態によれば、前記ステップＳ３が前記ステップＳ１の直後に行われ、そのため直接連続した１つずつの画像若しくは部分画像が生じ、手は２つのビームに対して同じ位置である。ステップＳ５では、得られたトポグラフィーデータ並びに手の静脈の反射信号に対応する画像データから、標準化された静脈パターン又は静脈パターンに対応する特徴ベクトルが算出される。ステップＳ６では、本実施形態では、算出された標準化された静脈パターン又は算出された特徴ベクトルが、少なくとも１つの格納された静脈パターン若しくは特徴ベクトルと比較され、その結果として、十分に一致するものとして分類されるかあるいは十分に一致していないものとして分類される。この分類により、本発明による方法の一実施形態におけるさらなる後続ステップにおいて、さらなるプロセスのトリガに関する決定が下される。ここでステップＳ７において、静脈パターン若しくは特徴ベクトルが十分に一致するものとして分類された場合には、更なるプロセスに対するトリガが発せられる。
【００３３】
図２には、手の静脈パターンを記録する本発明によるセンサシステムの一実施形態が示されている。このセンサシステムには、第１の光源Ｌ１と、カメラＳ１と、トポグラフィーセンサＴＳと、プロセッサユニットＰ１とが含まれ、このプロセッサユニットＰ１は、カメラチップとトポグラフィーセンサとに接続されている。本発明によるセンサシステムの好ましい実施形態では、センサシステムがさらに付加的に第２のプロセッサユニットＰ２を含んでいる。前記第１の光源Ｌ１は、手Ｈの静脈から反射可能な近赤外領域の電磁波を動作中に全面に放射するように構成されている。カメラチップを備えたカメラＳ１は、前記電磁波の反射信号の記録に用いられ、前記反射信号に対応する画像データを供給する。図示の実施形態では、カメラが、手Ｈの静脈から反射されてきた反射信号を記録し、対応する画像データを供給している。トポグラフィーセンサＴＳは、それによって手Ｈの状態と曲率が把握される三次元トポグラフィーの検出のために使用される。第１のプロセッサユニットＰ１は、カメラＳ１のカメラチップ並びにトポグラフィーセンサＴＳに接続されている。このプロセッサユニットＰ１は、トポグラフィーセンサから提供されたトポグラフィーデータとカメラの画像データとから、光源Ｌ１によって照射された手Ｈの標準化された静脈パターン又は対応する特徴ベクトルを生成する。本発明によるセンサシステムの別の好ましい実施形態によれば、付加的なプロセッサユニットＰ２が次のことに用いられている。すなわち、第１のプロセッサユニットＰ１によって算出された静脈パターン又は算出された特徴ベクトルを、格納された静脈パターン又は格納された特徴ベクトルと比較し、前記算出された静脈パターン又は前記算出された特徴ベクトルを、十分に一致しているものとして、あるいは十分に一致していないものとして、分類するために付加的なプロセッサユニットＰ２が用いられている。本発明によるセンサシステムの更なる実施形態によれば、トリガユニットがセンサシステムに接続されており、このトリガユニットは、静脈パターンが十分に一致しているものとして分類された場合に、後続するシステムへのアクセスを可能にする。このトリガユニットは、図２には示されていない。
【００３４】
図３には、本発明によるセンサシステムのさらなる別の実施形態の概略図が示されている。図３のセンサシステムの基本構成は、図２に示したシステムと同様である。したがって、以下では相違点のみを詳細に説明する。図３では、トポグラフィーセンサは、第２の光源Ｌ２と、第２のカメラチップ並びに計算ユニットを含んだセンサＳ２とからなっている。第２の光源Ｌ２は、赤外領域の電磁放射を構造画像の形態で放射する。センサＳ２のカメラチップは、電磁波の反射信号を記録するのに適しており、計算ユニットは、記録された反射信号から、光源Ｌ２によって照射された被検体、ここでは手Ｈのトポグラフィーを算出する。既に図２による方法で示したように、このトポグラフィーデータは、プロセッサユニットＰ１に転送され、当該トポグラフィーデータとセンサＳ１の画像データとから、手の標準化された静脈パターンが生成される。図示のセンサシステムの実施形態によれば、プロセッサユニットＰ１は、さらに次のように構成されていてもよい。すなわち、第２の光源Ｌ２のみが規則的な時間間隔で電磁波を放射する、センサシステムの静止モードにおいて、反射信号から距離を算出し、所定の最小距離を下回った場合には、第１の光源Ｌ１による照射を開始させるようにプロセッサユニットＰ１は構成されていてもよい。本発明によるセンサシステムの一実施形態によれば、特に有利には、第１の光源と第２の光源が、交互に直接連続した１つずつの画像を生じるように電磁波を放射するように構成される。これにより、第１の光源による照射と、第２の光源による照射との間で手の状態や曲率が変化して歪んだ静脈パターンとなってしまうようなことが回避され得る。
【誤訳訂正２】
【訂正対象書類名】特許請求の範囲
【訂正対象項目名】全文
【訂正方法】変更
【訂正の内容】
【特許請求の範囲】
【請求項１】
手の静脈パターンを記録するセンサシステムであって、
手の静脈によって反射可能な近赤外領域の電磁波を動作中に全面に放射するように構成された第１の光源と、
手の静脈からの前記電磁波の第１の反射信号を記録し、かつ、前記第１の反射信号から対応する画像データを供給する第１のカメラチップを有するカメラと、
手の三次元トポグラフィーを検出するトポグラフィーセンサと、
前記第１のカメラチップと前記トポグラフィーセンサに接続された第１のプロセッサユニットとを含んでいる、センサシステムにおいて、
前記第１のプロセッサユニットが、動作中に、前記カメラからの手の静脈を表す画像データと、前記トポグラフィーセンサからの当該手の三次元トポグラフィーデータとから、当該手の標準化された静脈パターン又は当該静脈パターンに対応する特徴ベクトルを生成するように構成されており、標準化された前記静脈パターンは、当該手の中の標準的な状態の静脈パターンを表す、ことを特徴とする、センサシステム。
【請求項２】
付加的プロセッサユニットが設けられており、
前記付加的プロセッサユニットは、
前記第１のプロセッサユニットによって算出された静脈パターン又は算出された特徴ベクトルを、少なくとも１つの格納されている静脈パターン又は少なくとも１つの格納されている特徴ベクトルと比較し、かつ、前記算出された静脈パターン又は前記算出された特徴ベクトルを、十分に一致しているか又は十分に一致していないものとして分類するように構成されている、請求項１記載のセンサシステム。
【請求項３】
前記トポグラフィーセンサは、
手に赤外線領域の電磁ビームを構造画像の形態で放射する第２の光源と、
電磁波の第２の反射信号を記録する第２のカメラチップと、
記録された前記第２の反射信号のデータから前記手のトポグラフィーを算出するように構成された計算ユニットとを含んでいる、請求項１又は２記載のセンサシステム。
【請求項４】
前記第１及び第２のカメラチップは同一である、請求項３記載のセンサシステム。
【請求項５】
前記第１の光源及び第２の光源は、交互に直接連続した１つずつの画像を生じるように電磁波を放射するように構成されている、請求項３又は４記載のセンサシステム。
【請求項６】
前記第１のプロセッサユニットは、前記センサシステムの、前記第２の光源のみが規則的な時間間隔で電磁波を放射する静止モードにおいて、前記第２の反射信号から距離を算出し、かつ、所定の最小距離を下回った場合に、前記第１の光源による照射を開始させるように構成されている、請求項３から５いずれか１項記載のセンサシステム。
【請求項７】
前記トポグラフィーセンサは、飛行時間型センサである、請求項１又は２記載のセンサシステム。
【請求項８】
前記付加的プロセッサユニットは、無線接続機能を備えたホストプロセッサであり、さらに前記付加的プロセッサユニットは、動作中に、前記ホストプロセッサと同じ無線接続機能を備えたスレーブプロセッサ内に格納されている静脈パターン又は特徴ベクトルとの比較を行うように構成されている、請求項２、又は、請求項２を引用する請求項３から７いずれか１項記載のセンサシステム。
【請求項９】
前記付加的プロセッサユニットは、ＲＦＩＤホストプロセッサ、又は、アクティブな無線接続機能を備えたアクティブホストプロセッサである、請求項８記載のセンサシステム。
【請求項１０】
前記センサシステムは、動作中に、データベースに格納されている静脈パターン又は特徴ベクトルとの比較を行うように構成されている、請求項２から８いずれか１項記載のセンサシステム。
【請求項１１】
前記センサシステムと接続されたトリガ装置が設けられており、
前記トリガ装置は、静脈パターン又は特徴ベクトルが十分に一致しているものとして分類された場合に、後続するシステムへのアクセスを可能にするように構成されている、請求項２から１０いずれか１項記載のセンサシステム。
【請求項１２】
前記三次元トポグラフィーデータは、前記手の状態及び曲率を含む、請求項１から１０いずれか１項記載のセンサシステム。
【請求項１３】
内蔵されたＲＦＩＤスレーブプロセッサを有するブレスレットであって、
前記ＲＦＩＤスレーブプロセッサが、格納された静脈パターン又は格納された特徴ベクトルに関する情報を含み、かつ、請求項９記載のシステムのＲＦＩＤホストプロセッサと通信可能であることを特徴とする、ブレスレット。
【請求項１４】
前記ＲＦＩＤスレーブプロセッサは、算出された静脈パターン又は特徴ベクトルが十分に一致するものとして認証された後で初めて、読み取り又は送信を可能にさせる付加的コードを含んでいる、請求項１３記載のブレスレット。
【請求項１５】
手の静脈パターンを記録する方法であって、
手の中の静脈によって反射可能な近赤外領域の電磁波を全面に放射する第１の光源により手を照射するステップと、
前記手の静脈からの第１の反射信号を記録し、かつ、前記第１の反射信号に対応する画像データを生成するステップと、
前記手の三次元トポグラフィーデータを記録するステップと、
前記手の静脈を表す前記画像データと、前記手の前記三次元トポグラフィーデータとから、前記手の標準化された静脈パターン又は当該静脈パターンに対応する特徴ベクトルを算出するステップとを含んでおり、標準化された前記静脈パターンは、前記手の中の標準的な状態の静脈パターンを表す、ことを特徴とする方法。
【請求項１６】
算出された前記標準化された静脈パターン又は算出された前記特徴ベクトルと、少なくとも１つの格納された静脈パターン又は特徴ベクトルとの比較を実施し、かつ、算出された前記標準化された静脈パターン又は算出された前記特徴ベクトルを、十分に一致するものとして又は十分に一致していないものとして分類する、請求項１５記載の方法。
【請求項１７】
算出された前記静脈パターン又は算出された前記特徴ベクトルが十分に一致するものとして認証された後で、さらなるプロセスがトリガされる、請求項１６記載の方法。
【請求項１８】
前記三次元トポグラフィーデータを記録するステップは、さらに、
赤外線領域の電磁ビームを構造画像の形態で放射する第２の光源によって前記手を照射するステップと、
第２の反射信号を記録するステップと、
前記記録された第２の反射信号から前記三次元トポグラフィーデータを生成するステップとを含んでいる、請求項１５から１７いずれか１項記載の方法。
【請求項１９】
前記三次元トポグラフィーデータは、前記手の状態及び曲率を含む、請求項１５から１８いずれか１項記載の方法。